(57)【特許請求の範囲】
【請求項１】
円筒形状の中心導体と、前記中心導体の周囲に同軸に配置された外部導体と、前記中心導体と前記外部導体との間の隙間に充填されたケーブル絶縁体と、前記外部導体を覆う外被とを有する同軸ケーブルのコネクタ連結端を、同軸コネクタ取り付け可能状態に加工する同軸ケーブル加工具であって、
一端に第１の開口を、他端に第２の開口をそれぞれ有する筒状の本体を備え、前記第１、第２の開口は同軸配置されており、それぞれ前記同軸ケーブルが挿入可能となっており、
前記第１の開口の内奥には、
前記中心導体に内嵌可能な円柱形状を有する第１のガイド柱と、
前記第１のガイド柱に連結されて前記第１のガイド柱が前記中心導体に内嵌された状態で前記外被の端面に選択的に接する外被除去刃と、
前記第１のガイド柱に連結されており前記第１のガイド柱が前記中心導体に内嵌された状態では前記ケーブル絶縁体の端面と前記外部導体の端面とに選択的に接するもしくは前記ケーブル絶縁体の端面に選択的に接する外部導体除去刃とを有し、
前記コネクタ連結端において前記第１のガイド柱を前記中心導体に内嵌しかつ前記外被除去刃の刃先を前記外被の端面に選択的に当接させた状態で、前記外被除去刃を前記同軸ケーブルの軸方向内側に向けて予圧を与えながら前記中心導体を軸心にして回転させることで、前記外被を前記外被除去刃により除去し、
前記コネクタ連結端において前記第１のガイド柱を前記中心導体に内嵌しかつ前記外部導体除去刃の刃先を前記ケーブル絶縁体の端面に選択的に当接させた状態でまたは前記外部導体除去刃の刃先を前記ケーブル絶縁体の端面と前記外部導体の端面とに選択的に当接させた状態で、前記外部導体除去刃を前記同軸ケーブルの軸方向内側に向けて予圧を与えながら前記中心導体を軸心にして回転させることで、前記ケーブル絶縁体と前記外部導体とを、もしくは前記ケーブル絶縁体を前記外部導体除去刃により除去し、
前記第２の開口の内奥には、
前記中心導体に内嵌可能な円柱形状を有する第２のガイド柱と、
前記第２のガイド柱に連結されて前記第２のガイド柱が前記中心導体に内嵌された状態で、前記ケーブル絶縁体の端面に選択的に接する切除刃と、前記ケーブル絶縁体の前記外部導体の端面に選択的に接する切除刃の２組の切除刃からなるケーブル絶縁体除去刃とを有し、
前記コネクタ連結端において前記第２のガイド柱を前記中心導体に内嵌しかつ前記ケーブル絶縁体除去刃の刃先を前記ケーブル絶縁体の端面に選択的に当接させた状態で、前記ケーブル絶縁体除去刃を前記同軸ケーブルの軸方向内側に向けて予圧を与えながら前記中心導体を軸心にして回転させることで、前記ケーブル絶縁体を前記ケーブル絶縁体除去刃により除去するとともに前記外部導体を前記ケーブル絶縁体除去刃により拡開する、
同軸ケーブル加工具。
【請求項２】
前記第１のガイド柱は、その外周面の軸方向中途部に停止突起を有しており、
前記外部導体除去刃の刃先と前記外被除去刃の刃先とは、停止突起形成位置より軸方向前記コネクタ連結端側に位置しており、前記停止突起形成位置と前記外部導体除去刃の刃先との間の離間距離は、前記外部導体除去刃により切除する前記外部導体と前記ケーブル絶縁体との軸方向長さまたは前記ケーブル絶縁体の軸方向長さと同等に設定され、前記停止突起形成位置と前記外被除去刃の刃先との間の離間距離は、前記外被除去刃により切除する前記外被の軸方向長さと同等に設定される、
ことを特徴とする請求項１に記載の同軸ケーブル加工具。
【請求項３】
前記第２のガイド柱は、その外周面の軸方向中途部に停止突起を有しており、
前記ケーブル絶縁体除去刃の刃先は、停止突起形成位置より軸方向前記コネクタ連結端側に位置しており、前記停止突起形成位置と前記ケーブル絶縁体除去刃の刃先との間の離間距離は、前記ケーブル絶縁体除去刃により切除する前記ケーブル絶縁体の軸方向長さ及び前記ケーブル絶縁体除去刃により拡開する前記外部導体の軸方向長さと同等に設定される、
ことを特徴とする請求項１に記載の同軸ケーブル加工具。
【発明の詳細な説明】
【技術分野】
【０００１】
本発明は、情報機器、通信機器等に用いられる同軸ケーブルの端末を加工する加工具に関する。
【背景技術】
【０００２】
従来から、同軸ケーブルとして、それぞれ管状導管からなる中心導体と外部導体との間にケーブル絶縁体を充填したものがある。このような構成を備えた同軸ケーブルに装着される同軸コネクタは、シェル、袋ナット、および中心コンタクトを備えており、同軸ケーブルは次のようにして同軸コネクタに連結される。すなわち、まず、袋ナットが同軸ケーブルの外周に外嵌挿入され、コネクタ絶縁体付きの中心コンタクトがケーブルの中心導体の先端に嵌着される。この状態でシェルがコネクタ絶縁体に外嵌され、さらにシェルと袋ナットとが管状の外部導体を挟んでネジ結合されることで同軸ケーブルが同軸コネクタに連結される。
【先行技術文献】
【特許文献】
【０００３】
【特許文献１】特許３３４２００５号公報
【特許文献２】特許３５２７４４０号公報
【発明の概要】
【発明が解決しようとする課題】
【０００４】
このようにして同軸コネクタに接続される同軸ケーブルでは、そのコネクタ連結端を同軸コネクタ取り付け可能状態に加工する必要がある。具体的には、コネクタ連結端において、外被とケーブル絶縁体とを削除することで、中心導体と外部導体とを必要長さにわたって露出させる必要がある。しかしながら、その作業は手作業であってしかも熟練を要するために、コネクタ連結に必要となるケーブル加工精度を維持しにくかった。
【０００５】
本発明は、このような実状に着目してなされたものであって、高精度な加工を容易に行うことができる同軸ケーブルの加工具の提供を目的とする。
【課題を解決するための手段】
【０００６】
上記課題を解決するために、本発明の同軸ケーブル加工具は、円筒形状の中心導体と、前記中心導体の周囲に同軸に配置された外部導体と、前記中心導体と前記外部導体との間の隙間に充填されたケーブル絶縁体と、前記外部導体を覆う外被とを有する同軸ケーブルのコネクタ連結端を、同軸コネクタ取り付け可能状態に加工する同軸ケーブル加工具であって、
一端に第１の開口を、他端に第２の開口をそれぞれ有する筒状の本体を備え、前記第１、第２の開口は同軸配置されており、それぞれ前記同軸ケーブルが挿入可能となっており、
前記第１の開口の内奥には、
前記中心導体に内嵌可能な円柱形状を有する第１のガイド柱と、
前記第１のガイド柱に連結されて前記第１のガイド柱が前記中心導体に内嵌された状態で前記外被の端面に選択的に接する外被除去刃と、
前記第１のガイド柱に連結されており前記第１のガイド柱が前記中心導体に内嵌された状態では前記ケーブル絶縁体の端面と前記外部導体の端面とに選択的に接するもしくは前記ケーブル絶縁体の端面に選択的に接する外部導体除去刃とを有し、
前記コネクタ連結端において前記第１のガイド柱を前記中心導体に内嵌しかつ前記外被除去刃の刃先を前記外被の端面に選択的に当接させた状態で、前記外被除去刃を前記同軸ケーブルの軸方向内側に向けて予圧を与えながら前記中心導体を軸心にして回転させることで、前記外被を前記外被除去刃により除去し、
前記コネクタ連結端において前記第１のガイド柱を前記中心導体に内嵌しかつ前記外部導体除去刃の刃先を前記ケーブル絶縁体の端面に選択的に当接させた状態でまたは前記外部導体除去刃の刃先を前記ケーブル絶縁体の端面と前記外部導体の端面とに選択的に当接させた状態で、前記外部導体除去刃を前記同軸ケーブルの軸方向内側に向けて予圧を与えながら前記中心導体を軸心にして回転させることで、前記ケーブル絶縁体と前記外部導体とを、もしくは前記ケーブル絶縁体を前記外部導体除去刃により除去し、
前記第２の開口の内奥には、
前記中心導体に内嵌可能な円柱形状を有する第２のガイド柱と、
前記第２のガイド柱に連結されて前記第２のガイド柱が前記中心導体に内嵌された状態で、前記ケーブル絶縁体の端面に選択的に接する切除刃と、前記ケーブル絶縁体の前記外部導体の端面に選択的に接する切除刃の２組の切除刃からなるケーブル絶縁体除去刃とを有し、
前記コネクタ連結端において前記第２のガイド柱を前記中心導体に内嵌しかつ前記ケーブル絶縁体除去刃の刃先を前記ケーブル絶縁体の端面に選択的に当接させた状態で、前記ケーブル絶縁体除去刃を前記同軸ケーブルの軸方向内側に向けて予圧を与えながら前記中心導体を軸心にして回転させることで、前記ケーブル絶縁体を前記ケーブル絶縁体除去刃により除去するとともに前記外部導体を前記ケーブル絶縁体除去刃により拡開する。
【０００７】
この加工具によれば、同軸ケーブルの接続面を精度高く加工することができる。特に、ガイド柱を中心導体に内嵌した状態で回転刃を回転させることで、回転刃の移動軌跡の位置精度が高まり、ケーブル絶縁体と外部導体とを、もしくはケーブル絶縁体を精度高く除去することができる。
【０００９】
この加工具によれば、外被も精度高く加工することができる。特に、ガイド柱を中心導体に内嵌した状態で外被除去刃を回転させることで、外被除去刃の移動軌跡の位置精度が高まり、外被を精度高く除去することができる。
【００１０】
また、本発明の同軸ケーブル加工具には、
前記第１のガイド柱は、その外周面の軸方向中途部に停止突起を有しており、
前記外部導体除去刃の刃先と前記外被除去刃の刃先とは、停止突起形成位置より軸方向前記コネクタ連結端側に位置しており、前記停止突起形成位置と前記外部導体除去刃の刃先との間の離間距離は、前記外部導体除去刃により切除する前記外部導体と前記ケーブル絶縁体との軸方向長さまたは前記ケーブル絶縁体の軸方向長さと同等に設定され、前記停止突起形成位置と前記外被除去刃の刃先との間の離間距離は、前記外被除去刃により切除する前記外被の軸方向長さと同等に設定される、という態様がある。
また、本発明の同軸ケーブル加工具には、
前記第２のガイド柱は、その外周面の軸方向中途部に停止突起を有しており、
前記ケーブル絶縁体除去刃の刃先は、停止突起形成位置より軸方向前記コネクタ連結端側に位置しており、前記停止突起形成位置と前記ケーブル絶縁体除去刃の刃先との間の離間距離は、前記ケーブル絶縁体除去刃により切除する前記ケーブル絶縁体の軸方向長さ及び前記ケーブル絶縁体除去刃により拡開する前記外部導体の軸方向長さと同等に設定される、という態様がある。
【００１１】
この態様によれば、ガイド柱は停止突起が中心導体の端面に当接すると、それ以上中心導体に内嵌進入することができず、これによりガイド柱の内嵌移動量は規制される。ガイド柱の移動量が規制されることで、外部導体除去刃や外被除去刃による外部導体やケーブル絶縁体や外被の切除量も自動的に規制されることになり、その結果、それらの切除量を手間を掛けることなく精度高く制御することができる。
【発明の効果】
【００１２】
本発明の同軸ケーブル加工具によれば、同軸ケーブルの端面の形状を、容易かつ精度高く加工することができる。
【図面の簡単な説明】
【００１３】
【図１】本発明の一実施形態の同軸コネクタの構成を示す一部切欠正面図である。
【図２】実施形態の同軸コネクタを接続する同軸ケーブルのコネクタ連結端を加工する際に用いる同軸ケーブル加工具の構成を示す一部切欠正面図である。
【図３】実施形態の同軸コネクタを接続する同軸ケーブルのコネクタ連結端を加工する際に用いる同軸ケーブル加工具の構成を示す裏面図である。
【図４】実施形態の同軸ケーブル加工具の構成を示す一部を分解した斜視図である。
【図５】実施形態の同軸コネクタを接続する同軸ケーブルのコネクタ連結端の加工方法の第１段階における各ステップをそれぞれ示す要部抜き出し正面図である。
【図６】実施形態の同軸コネクタを接続する同軸ケーブルのコネクタ連結端の加工方法の第２段階における各ステップをそれぞれ示す要部抜き出し正面図である。
【図７】実施形態の同軸コネクタを同軸ケーブルに連結する方法における各ステップをそれぞれ示す断面図である。
【発明を実施するための形態】
【００１４】
図１は、本発明の一実施の形態の同軸ケーブル加工具により加工される同軸ケーブルＡが連結される同軸コネクタ１の構造を示す一部切欠側面図である。この同軸コネクタ１は同軸ケーブルＡのコネクタ連結端Ａａに連結される。同軸ケーブルＡは、中心導体Ｂと、中心導体Ｂの周囲に同軸に配置された外部導体Ｃと、中心導体Ｂと外部導体Ｃとの間の隙間αに充填されたケーブル絶縁体Ｄと、外部導体Ｃを覆う外被Ｅとを備える。中心導体Ｂと外部導体Ｃとは、共に銅等の導体からなる直管形状を有している。ケーブル絶縁体Ｄは発泡ポリエチレン等の絶縁樹脂からなる。外被Ｅはポリエチレン等の樹脂からなる。
【００１５】
同軸コネクタ１は、外部導体Ｃの径方向外側に配置される袋ナット２と、同軸ケーブルＡのコネクタ連結端Ａａの軸方向ケーブル外側から外部導体Ｃの端部を挟んで袋ナット２に内嵌螺着されるシェル３と、中心導体Ｂの端部に嵌着される中心コンタクト４と、中心コンタクト４とシェル３との間に介装されるコネクタ絶縁体５とを備える。
【００１６】
袋ナット２は、同軸ケーブルＡに外嵌可能な内径を有する円筒状をしており、その一端側内周面には第１のＯリング６が収納配置されている。また、袋ナット２の一端側内周面には雌ねじ部２ａが形成されている。袋ナット２の軸方向中央の内周面には周方向に沿った突起２ｂが形成されている。突起２ｂは、ナット径方向内側に突出しており、突起２ｂの先端径は外部導体Ｃより若干大径に設定されている。突起２ｂの雌ねじ部側側面には雌ねじ部側になるほど拡径する凸曲面状の第１のテーパ面２ｃが形成され、突起２ｂの第１のＯリング側側面には径方向に沿って直面状となった受け座２ｄが形成されている。突起２ｂと第１のＯリング６との間の袋ナット２の内径は、外被Ｅの外径より若干大径に設定されている。第１のＯリング６の内径は外被Ｅの外径より若干小径に設定されている。
【００１７】
シェル３の一端外周面には第１の雄ねじ部３ａが設けられている。第１の雄ねじ部３ａは、袋ナット２の雌ねじ部２ａに螺着可能な形状を有しており、シェル外周面の第１の雄ねじ部３ａの内奥には、第２のＯリング７が外嵌装着されている。シェル３の一端外周面の先端（第１の雄ねじ部３ａの先端）には、先端になるほど縮径する平面状の第２のテーパ面３ｄが設けられている。
【００１８】
第２のＯリング７は袋ナット２の雌ねじ部形成内周面の径より若干大径となっている。なお、シェル３の他端外周面に第２の雄ねじ部３ｂが設けられている。第２の雄ねじ部３ｂはもう一つの同軸コネクタ（図示省略）との連結用に設けられている。
【００１９】
中心コンタクト４の一端には有底の筒状接続端４ａが設けられている。筒状接続端４ａは中心導体Ｂの外径より若干大きい内径を有しており、筒状接続端４ａの周壁４ｂには複数のすり割り溝４ｃが形成されている。すり割り溝４ｃは、周壁４ｂを貫通する切欠を軸方向に沿って直線状に延出させた形状を有しており、筒状接続端４ａの先端部から軸方向途中部にかけて形成されている。すり割り溝４ｃの一端は筒状接続端４ａの端部において開放されている。筒状接続端４ａは、すり割り溝４ｃを有することで弾性変形による拡開が可能となっている。中心コンタクト４は、筒状接続端４ａを若干拡開した状態で中心導体Ｂに外嵌圧入されることで中心導体Ｂのコネクタ連結端Ｂａに連結される。なお、中心コンタクト４の他端にはもう一つの筒状接続端４ｄが設けられている。もう一つの筒状接続端４ｄは、筒状接続端４ａと同様の構造を有しているが、もう一つの筒状接続端４ｄは、この同軸コネクタ１が連結されるもう一つの同軸コネクタ（図示省略）の中心コンタクトに接続されるものである。
【００２０】
コネクタ絶縁体５は、短い軸長の円筒形状を有しており、シェル３の内径より若干大きい外径と中心コンタクト４の外径より若干小さい内径とを有している。コネクタ絶縁体５は中心コンタクト４に外嵌圧入されるととともにシェル３に内嵌圧入されており、これによりコネクタ絶縁体５はシェル３の内部において中心コンタクト４を同軸に支持している。
【００２１】
以上は、同軸コネクタ１の基本構造の説明である。次に同軸コネクタ１において特徴となる構成を説明する。筒状接続端４ａの内底にはシリコンゴム等の弾性変形可能な材料からなる防水体８が設けられている。中心コンタクト４は、筒状接続端４ａを若干拡開した状態で中心導体Ｂに外嵌圧入されることで中心導体Ｂのコネクタ連結端Ｂａに連結されるが、その際に中心コンタクト４の内底と中心導体Ｂの先端との間に圧縮変形させた防水体８を全周にわたって介在させることで管状の中心導体Ｂの内部を密封して防水している。
【００２２】
また、コネクタ絶縁体５の取り付け状態を次のように設定している。すなわち、中心コンタクト４を中心導体Ｂの端部に嵌着しコネクタ絶縁体５を中心コンタクト４に外嵌しシェル３をコネクタ絶縁体５に外嵌した状態でシェル３を袋ナット２に連結させるために回転させる際において、以下の二つの状態（イ）、（ロ）のうちで少なくとも一つの状態となるように、中心コンタクト４とコネクタ絶縁体５とを取り付けている。
【００２３】
（イ）中心導体Ｂに対して中心コンタクト４が相対移動することなく、中心コンタクト４に対してコネクタ絶縁体５が相対移動する。
【００２４】
（ロ）中心導体Ｂに対して中心コンタクト４が相対移動することなく、コネクタ絶縁体５に対してシェル３が相対移動する。
【００２５】
なお、上述した（イ）、（ロ）の状態における相対移動とは、軸方向に沿った直線移動が主たるものとなる。
【００２６】
中心コンタクト４とコネクタ絶縁体５とをこのような取り付け状態とするためには、以下の処理のうちの少なくとも一つがシェル３やコネクタ絶縁体５や中心コンタクト４に実施される。
【００２７】
・シェル３を袋ナット２に連結させるために回転させる際において、シェル３の内周面３ｃとコネクタ絶縁体５との間に生じる摩擦トルクが、中心コンタクト４と中心導体Ｂとの間に生じる摩擦トルクより小さくなるように、シェル３の内周面３ｃ（特にコネクタ絶縁体当接部位）に研磨等の処理を加える。
【００２８】
・シェル３を袋ナット２に連結させるために回転させる際において、シェル３の内周面３ｃとコネクタ絶縁体５との間に生じる摩擦トルクが、中心コンタクト４と中心導体Ｂとの間に生じる摩擦トルクより小さくなるように、コネクタ絶縁体５の外周径を若干小さくする。
【００２９】
・シェル３を袋ナット２に連結させるために回転させる際において、コネクタ絶縁体５の内周面５ｃと中心コンタクト４との間に生じる摩擦トルクが、中心コンタクト４と中心導体Ｂとの間に生じる摩擦トルクより小さくなるように、中心コンタクト４の外周面４ｅ（特にコネクタ絶縁体当接部位）に研磨等の処理を加える。
【００３０】
・シェル３を袋ナット２に連結させるために回転させる際において、コネクタ絶縁体５の内周面５ｂと中心コンタクト４との間に生じる摩擦トルクが、中心コンタクト４と中心導体Ｂとの間に生じる摩擦トルクより小さくなるように、コネクタ絶縁体５の内周径を若干大きくする。
【００３１】
なお、コネクタ絶縁体５をシェル３に内嵌圧入して保持するためにコネクタ絶縁体５の外周径はシェル３内周面径より若干大きく設定されるが、上記摩擦トルクの調整は、このようなコネクタ絶縁体５の外径設定条件を維持しながら実施される。また、中心コンタクト４をコネクタ絶縁体５に内嵌圧入して保持するためにコネクタ絶縁体５の内周径は中心コンタクト４の外周面径より若干小さく設定されるが、上記摩擦トルクの調整は、このようなコネクタ絶縁体５の内径設定条件を維持しながら実施される。
【００３２】
上述した摩擦トルクの調整を行うことで、シェル３とコネクタ絶縁体５との間の密封性やコネクタ絶縁体５と中心コンタクト４との間の密封性が若干低下して、中心導体Ｂの内部の防水性が劣化することが危惧される。しかしながら、同軸コネクタ１では、中心導体Ｂの先端と中心コンタクト４の筒状接続端４ａの内底との間に防水体８を設けており、これによって中心導体Ｂの内部の防水性能を格段に向上させている。そのため、中心導体Ｂの内部に漏水が生じることはない。
【００３３】
次に、同軸ケーブルＡに同軸コネクタ１を装着する方法を説明する。まず、同軸ケーブル１のコネクタ連結端の処理方法を説明する。同軸ケーブル１のコネクタ連結端の処理には、図２、図３、図４、図５（ａ）〜（ｄ）に示す本発明の同軸ケーブル加工具１０が用いられる。なお、本実施形態の同軸ケーブル加工具１０は、本発明の第１の加工具と第２の加工具とを兼用しているが、これは、本発明の実施例の一例であって、第１の加工具と第２の加工具とを別途設けてもよいのはいうまでもない。
【００３４】
同軸ケーブル加工具１０は、一端に第１の開口１１ａを、他端に第２の開口１１ｂをそれぞれ有する筒状の本体１１を備える。第１、第２の開口１１ａ、１１ｂは同軸配置されており、それぞれ同軸ケーブルＡが挿入可能となるように、同軸ケーブルＡの最外径より若干大径となっている。以下、第１、第２の開口１１ａ、１１ｂの径方向を開口径方向といい、軸方向を開口軸方向という。
【００３５】
第１の開口１１ａの内奥には、外被除去刃１２と外部導体除去刃１３と第１のガイド円柱１４とが設けられている。外被除去刃１２は第１の切除刃１２ａと第１のガイド刃１２ｂとを備えている。第１の切除刃１２ａは、その刃先となる刃線１２ａ１が開口径方向に沿う向きに配置されている。第１のガイド刃１２ｂは、その刃先となる刃線１２ｂ１が開口軸方向に沿う向きに配置されている。さらに第１のガイド刃１２ｂの刃線１２ｂ１は、第１の切除刃１２ａの刃線１２ａ１の開口径方向内端に連結されており、刃線１２ｂ１と刃線１２ａ１とはＬ型に配置されている。刃線１２ｂ１と第１の開口１１ａの軸心ｏとの間の離間間隔ｗ１（図５（ｄ）参照）は、同軸ケーブルＡの外部導体Ｃの外径（半径）と同等になっている。
【００３６】
同様に、外部導体除去刃１３は第２の切除刃１３ａと第２のガイド刃１３ｂとを備えている。第２の切除刃１３ａは、その刃先となる刃線１３ａ１が開口径方向に沿う向きに配置されている。第２の切除刃１３ａは、その刃先となる刃線１３ａ１が第１の開口１１ａの径方向に沿う向きに配置されている。第２のガイド刃１３ｂは、その刃線１３ｂ１が開口軸方向に沿う向きに配置されている。さらに第２のガイド刃１３ｂの刃線１３ｂ１は、第２の切除刃１３ａの刃線１３ａ１の径方向内端に連結されており、刃線１３ｂ１と刃線１３ａ１とはＬ型に配置されている。刃線１３ｂ１と第１の開口１１ａの軸心ｏとの間の離間間隔ｗ２（図５（ｄ）参照）は、同軸ケーブルＡの中心導体Ｂの外径（半径）と同等になっている。刃線１３ａ１と刃線１２ａ１との間の離間間隔ｗ３（図５（ａ）〜（ｃ）参照）は、コネクタ連結端Ｃａにおける外部導体Ｃの、ケーブル軸方向における露出長さｗ４と同等に設定されている。
【００３７】
第１のガイド円柱１４は第１の開口１１ａの内部で軸心ｏと同軸に配置されており、第１の開口１１ａの内奥から開口先端に向けて突出した状態で第１の開口１１ａの内部に固定配置されている。第１のガイド円柱１４は、基端部１４ａと先端部１４ｂとを備えている。先端部１４ｂは基端部１４ａより小径であって、同軸ケーブルＡの中心導体Ｂの内径と同等の外径を備えている。基端部１４ａと先端部１４ｂとの間には、段部１４ｃが形成されている。段部１４ｃと第２の切除刃１３ａの刃線１３ａ１との間の離間間隔ｗ５（図５（ｃ）参照）は、コネクタ連結端Ｂａにおける内部導体Ｂの、ケーブル軸方向における露出長さｗ６（図５（ｃ）参照）と同等に設定されている。
【００３８】
第２の開口１１ｂの内奥には、ケーブル絶縁体除去刃１５と第２のガイド円柱１６とが設けられている。ケーブル絶縁体除去刃１５は、外部導体Ｃの内径と同等の外径を有する円柱体からなる刃基部１５ａと、刃基部１５ａの先端端面１５ａ１に設けられた切除刃本体１５ｂとを備えている。刃基部１５ａは、第２の開口１１ｂと同軸に開口内部に固定配置されている。切除刃本体１５ｂは、開口径方向に沿った刃線を有して軸心ｏを中心にして径方向に対向配置された第３の切除刃１５ｂ１、１５ｂ１と、開口径方向に沿った刃線を有して軸心ｏを中心にして径方向に対向配置された第４の切除刃１５ｂ２、１５ｂ２とを有する。第３の切除刃１５ｂ１、１５ｂ１の対向方向と第４の切除刃１５ｂ２、１５ｂ２の対向方向とは直交している。第３の切除刃１５ｂ１、１５ｂ１の刃線一端１５ｂ１１と軸心ｏとの間の離間距離は、ケーブル絶縁体Ｄの径方向内端とケーブル軸心との間の離間距離と同等に設定されている。第３の切除刃１５ｂ１、１５ｂ１の刃線他端１５ｂ１２と軸心ｏとの間の離間距離は、ケーブル絶縁体Ｄの径方向外端とケーブル軸心との間の離間距離より若干短く設定されている。第４の切除刃１５ｂ２、１５ｂ２の刃線一端１５ｂ２１と軸心ｏとの間の離間距離は、ケーブル絶縁体Ｄの径方向内端とケーブル軸心との間の離間距離より若干長く設定されている。第４の切除刃１５ｂ２、１５ｂ２の刃線他端１５ｂ２２と軸心ｏとの間の離間距離は、ケーブル絶縁体Ｄの径方向外端とケーブル軸心との間の離間距離より若干長く設定されている。刃基部１５ａの先端端面１５ａ１を起点とした第３の切除刃１５ｂ１、１５ｂ１の刃面の最高高さ位置と第４の切除刃１５ｂ２、１５ｂ２の刃面の最高高さ位置とは同等に設定されている。
【００３９】
第２のガイド円柱１６は第２の開口１１ｂの内部で軸心ｏと同軸に配置されており、第２の開口１１ｂの内奥から開口先端に向けて突出した状態で第２の開口１１ｂの内部に固定配置されている。第２のガイド円柱１６は、基端部１６ａと先端部１６ｂとを備えている。先端部１６ｂは基端部１６ａより小径であって、同軸ケーブルＡの中心導体Ｂの内径と同等の外径を備えている。基端部１６ａと先端部１６ｂとの間には、段部１６ｃが形成されている。段部１６ｃと第３、第４の除去刃１５ｂ１、１５ｂ２の刃線との間の離間距離ｗ７（図６（ａ）、（ｂ）参照）は、同軸ケーブルＡのコネクタ連結端Ａａにおけるケーブル絶縁体Ｄの除去深さに対応した値に設定されている。
【００４０】
なお、同軸ケーブル加工具１０には、第１、第２の開口１１ａ、１１ｂの側壁に複数の窓１７が形成されている。窓１７は、加工途中の同軸ケーブルＡの状態を目視確認するために設けられており、さらには、特に、第１の開口１１ａ側の窓１７においては、外被切除刃１２や外部導体切除刃１３によって切除された外被Ｅや外部導体Ｃや中心導体Ｂの切屑を、切除と同時に同軸ケーブル加工具１０の外部に放出可能となっている。
【００４１】
なお、本実施の形態では、外被除去刃１２と外部導体除去刃１３とから回転刃（第１の回転刃）が構成され、ケーブル絶縁体除去刃１５からもう一つの回転刃（第２の回転刃）が構成されている。
【００４２】
次にこの同軸ケーブル加工具１０を用いた同軸ケーブルＡのコネクタ連結端Ａａの加工工程を説明する。コネクタ連結端Ａａの加工工程には、第１の加工工程と第２の加工工程とがある。まず、第１の加工工程を説明する。
【００４３】
（第１の加工工程）
同軸ケーブルＡのケーブル連結端Ａａをケーブル軸方向に対して直角方向（すなわち径方向）に沿って切断加工し、さらに切断面における中心導体Ｂや外部導体Ｃの内面の切断バリをナイフ等で除去する。
【００４４】
以上のコネクタ連結端の前処理を行ったうえで、図５（ａ）に示すように、同軸ケーブル加工具１０を第１の開口１１ａから同軸ケーブルＡのコネクタ連結端Ａａに外嵌挿入し、さらに第１のガイド円柱１４を中心導体Ｂに挿入する。この状態で、同軸ケーブル加工具１０をケーブル軸方向に沿ってケーブル内側に向けて若干押圧しながら（予圧をかけながら）時計方向に回転させる。この回転処理は通常手作業で行われる。すると、まず、外被切除刃１２の第１の切除刃１２ａの刃線１２ａ１が外被Ｅだけに当接する。さらにこの状態で外被切除刃１２が微少ピッチの螺旋状にケーブル軸心に沿って移動することで、外被Ｅだけが徐々に切除されていく。このとき、外部導体切除刃１３も微少ピッチの螺旋状にケーブル軸心に沿って移動するが、外部導体切除刃１３は、外部導体Ｃやケーブル絶縁体Ｄに接していないので、外部導体Ｃやケーブル絶縁体Ｄが切除されることはない。
【００４５】
第１の切除刃１２ａによって外被Ｅだけが徐々に切除されていくと、次に第１のガイド刃１２ｂの刃線１２ｂ１が外部導体Ｃの外周面に当接し、この状態でさらに外被切除刃１２が微少ピッチの螺旋状にケーブル軸心に沿ってケーブル内側に移動することで、上述した第１の切除刃１２ａの切除処理を受けても外部導体Ｃの外表面に残っている外被Ｅの残渣が第１のガイド刃１２ｂによって切除される。
【００４６】
外被切除刃１２による外被Ｅの切除が進行して外被切除刃１２がケーブル軸方向に沿ってケーブル内側に移動していき、その結果、外被切除刃１２が、外被Ｅに当接してから距離ｗ３だけケーブル軸方向に移動すると、図５（ｂ）に示すように、外部導体切除刃１３の第２の切除刃１３ａが外部導体Ｃとケーブル絶縁体Ｄとにだけ当接する。具体的には、ケーブル径方向に沿って配置されている刃線１３ａ１が外部導体Ｃとケーブル絶縁体Ｄとに当接する。
【００４７】
この状態でさらに同軸ケーブル加工具１０の押圧回転操作を継続すると、外被切除刃１２による外被Ｅの切除が継続されるとともに、さらに外部導体除去刃１３によって外部導体Ｃとケーブル絶縁体Ｄとが選択的に切除されていく。外被切除刃１２による外被Ｅの切除は上述した通りであるので、以下、外部導体除去刃１３による外部導体Ｃとケーブル絶縁体Ｄの切除を説明する。
【００４８】
同軸ケーブル加工具１０の押圧回転操作を継続すると、外部導体切除刃１３の第２の切除刃１３ａ（具体的には刃線１３ａ１）が外部導体Ｃとケーブル絶縁体Ｄとに選択的に当接する。この状態で外部導体切除刃１３が微少ピッチの螺旋状にケーブル軸心に沿って移動すると、外部導体Ｃとケーブル絶縁体Ｄとが選択的に徐々に切除されていく。すると、第２のガイド刃１３ｂの刃線１３ｂ１が中心導体Ｂの外周面に当接するようになる。この状態でさらに外部導体切除刃１３が微少ピッチの螺旋状にケーブル軸心に沿って移動すると、上述した第２の切除刃１３ａの切除処理を受けても中心導体Ｂの外表面に残っているケーブル絶縁体Ｄの残渣が第２のガイド刃１３ｂによって切除される。
【００４９】
外被切除刃１２による外被Ｅの切除と、外部導体切除刃１３による外部導体Ｃおよびケーブル絶縁体Ｄの切除とが進行すると外被切除刃１２と外部導体切除刃１３とがケーブル軸方向に沿ってケーブル内側に移動していき、その結果、外部導体切除刃１３が、外部導体Ｃとケーブル絶縁体Ｄとに当接してから距離ｗ５だけケーブル軸方向に移動すると、図５（ｃ）に示すように、第１のガイド円柱１４の段部１４ｃが中心導体Ｂのコネクタ連結端Ｂａに当接して、同軸ケーブル加工具１０は、これ以上ケーブル軸方向内側に移動できなくなる。こうなると、外部導体Ｃ、ケーブル絶縁体Ｄ、および外被Ｅの切除は終了する。このようにして切除が終了した状態では、同軸ケーブルＡのコネクタ連結端Ａａにおいて、外被Ｅはｗ４（＝ｗ３）だけケーブル軸方向に露出し、中心導体Ｂはｗ６（＝ｗ５）だけケーブル軸方向に露出する。以上で第１の加工工程が終了する。
【００５０】
（第２の加工工程）
第１の加工工程が終了すると、ケーブル連結端Ａａに第１の開口１１ａを外嵌していた同軸ケーブル加工具１０を同軸ケーブルＡから引き抜き、同軸ケーブルＡのコネクタ連結端Ａａに、袋ナット２を外嵌挿入したうえで、図６（ａ）、（ｂ）に示すように、第１の開口１１ａに替わって第２の開口１１ｂから同軸ケーブル加工具１０を同軸ケーブルＡのコネクタ連結端Ａａに外嵌挿入し、さらに第２のガイド円柱１６を中心導体Ｂに挿入する。なお、図６（ａ）、（ｂ）では、作業要部のみを図示しており、袋ナット２は図示省略している。
【００５１】
次にこの状態で、同軸ケーブル加工具１０をケーブル軸方向に沿ってケーブル内側に向けて若干押圧しながら（予圧をかけながら）時計方向に回転させる。この回転処理は通常手作業で行われる。すると、ケーブル絶縁体切除刃１５の第３の切除刃１５ｂ１がケーブル絶縁体Ｄだけに当接する。さらにこの状態で第３の切除刃１５ｂ１が微少ピッチの螺旋状にケーブル軸心に沿って移動することで、ケーブル絶縁体Ｄだけが徐々に切除されていく。第３の切除刃１５ｂ１は、ケーブル連結端Ａａにおいてケーブル絶縁体Ｄをえぐり取るように切除する。
【００５２】
第３の切除刃１５ｂ１によるケーブル絶縁体Ｄの切除が進行して第３の切除刃１５ｂ１がケーブル軸方向に沿ってケーブル内側に移動していくと、第４の除去刃１５ｂ２が徐々に外部導体Ｃの内周端に当接して、外部導体Ｃのコネクタ接続端Ｃａを押し開いて拡開させる。第３の切除刃１５ｂ１によるケーブル絶縁体Ｄの切除が進行して第３の切除刃１５ｂ１がケーブル軸方向に沿ってケーブル内側に移動していき、第３の切除刃１５ｂ１が、ケーブル絶縁体Ｄに当接してから距離ｗ７だけケーブル軸方向に移動すると、図６（ｂ）に示すように、第２のガイド柱１６の段部１６ｃが中心導体Ｂのコネクタ連結端Ｂａに当接してしまい、同軸ケーブル加工具１０は、これ以上ケーブル軸方向内側に移動できなくなる。こうなると、ケーブル絶縁体Ｄの切除と外部導体Ｃの拡開とは終了する。このようにして外部導体Ｃの切除と拡開とが終了した状態では、同軸ケーブルＡのコネクタ連結端Ａａにおいて、ケーブル絶縁体Ｄは距離ｗ８だけケーブル軸方向内側に穿たれた状態となる。距離ｗ８は、段部１６ｃと第３、第４の除去刃１５ｂ１、１５ｂ２の刃線との間の離間距離ｗ７から中心導体Ｂの露出長さｗ６を減算した値（ｗ８＝ｗ７−ｗ６）に設定される。以上で第２の加工工程が終了する。なお、上述した第１の加工工程で発生する、外被Ｅ、外部導体Ｃ、およびケーブル絶縁体Ｄの削りカスは、本体１１に形成した窓１７から本体１１外部に排出される。さらには、第１、第２の加工工程の工程途中における外被Ｅ、外部導体Ｃ、およびケーブル絶縁体Ｄの切除状態は、窓１７を介して外部から観察することができる。
【００５３】
次にコネクタ連結端Ａａの加工を終えた同軸ケーブルＡに、同軸コネクタ１を連結する工程を図７（ａ）、（ｂ）を参照して説明する。上述した第２の加工工程において既に同軸ケーブルＡに外嵌挿入された状態になっている袋ナット２では、図７（ａ）に示すように、突起２ｂに形成された受け座２ｄが外被Ｅのコネクタ連結端Ｅａに当接し、突起２ｂが外部導体Ｃの拡開したコネクタ連結端Ｃａに当接した状態となる。この状態では、外部導体Ｃのコネクタ連結端Ｃａは、受け座２ｄの配置位置（外被Ｅのコネクタ連結端Ｅａ）からケーブル軸方向に沿ってケーブル外側に突出した位置にある。さらには、ケーブル絶縁体Ｄのコネクタ連結端Ｄａに切除処理が施されていることにより、ケーブル外側に突出する外部導体Ｃの内周面は露出している。
【００５４】
次に、図７（ｂ）に示すように、防水体８が装着された中心コンタクト４にコネクタ絶縁体５を外嵌挿入しさらにコネクタ絶縁体５にシェル３を外嵌挿入した状態で、中心導体Ｂのコネクタ連結端Ｂａに中心コンタクト４の筒状接続端４ａを外嵌挿入しさらにシェル３を袋ナット２に内嵌挿入し、さらにシェル３の第１の雄ねじ部３ａを袋ナット２の雌ねじ部２ａに螺合させる。
【００５５】
シェル３の第１の雄ねじ部３ａを袋ナット２の雌ねじ部２ａに螺合させる処理が進行すると、第１の雄ねじ部３ａの先端にある第２のテーパ面３ｄが外部導体Ｃの内部に入り込んで外部導体Ｃをさらに拡径させながらさらにケーブル軸方向に沿ってケーブル内側に移動し、最後には、第２のテーパ面３ｄは、拡径された外部導体Ｃを挟持した状態で、袋ナット２の突起２ｂに形成された第１のテーパ面２ｃに圧接し、これにより、外部導体Ｃのコネクタ連結端Ｃａが径方向外側に拡径された状態で、同軸コネクタ１が同軸ケーブルＡのコネクタ連結端Ａａに連結される。
【００５６】
以上説明したコネクタのケーブル連結操作中、シェル３は、袋ナット２に対して相対移動する。しかしながら、コネクタ絶縁体５の取り付け状態が、前述した（イ）、（ロ）のうちの少なくとも一つを満足するように設定されているので、中心導体Ｂに対して中心コンタクト４が相対移動することなく、シェル３がコネクタ絶縁体５に対して相対移動する、もしくはコネクタ絶縁体５が中心コンタクト４に対して相対移動する。したがって、中心コンタクト４が中心導体Ｂに対して相対移動することがなくなる。中心コンタクト４が中心導体Ｂに対して相対移動（摺動）すると、中心導体Ｂの外表面に傷が付いてしまううえ、金属粉が発生してしまう。中心導体Ｂの外表面の傷や金属粉は、高周波伝送特性を劣化させる原因となり、同軸コネクタ１を同軸ケーブルＡに連結する際にはできる限り防止する必要があるが、同軸コネクタ１では、このような傷や金属粉が中心導体Ｂで発生しないため、高周波伝送特性は劣化しない。
【００５７】
また、コネクタ絶縁体５の取り付け状態を、前述した（イ）、（ロ）にしているので、同軸コネクタ１の内部の防水特性を十分に維持しにくくなっている。しかしながら、同軸コネクタ１では、中心コンタクト４と中心導体Ｂとの間に防水体８を設けているので、最も防水しなければならない中心導体Ｂの内部は、防水体８によって確実に防水される。
【符号の説明】
【００５８】
１  同軸コネクタ      ２  袋ナット            ２ａ  雌ねじ部
２ｂ  突起            ２ｃ  第１のテーパ面    ２ｄ  受け座
３  シェル            ３ａ  第１の雄ねじ部    ３ｂ  第２の雄ねじ部
３ｃ  内周面          ３ｄ  第２のテーパ面    ４  中心コンタクト
４ａ  筒状接続端      ４ｂ  周壁              ４ｃ  すり割り溝
４ｄ  もう一つの筒状接続端                    ４ｅ  外周面
５  コネクタ絶縁体    ５ａ  外周面            ５ｂ  内周面
６  第１のＯリング    ７  第２のＯリング      ８    防水体
１０  同軸ケーブル加工具  １１  本体          １１ａ  第１の開口
１１ｂ  第２の開口        １２  外被除去刃    １２ａ  第１の切除刃
１２ａ１  刃線          １２ｂ  第１のガイド刃  １２ｂ１  刃線
１３  外部導体除去刃    １３ａ  第２の切除刃    １３ａ１  刃線
１３ｂ  第２のガイド刃  １３ｂ１  刃線            １４  第１のガイド円柱
１４ａ  基端部          １４ｂ  先端部          １４ｃ  段部
１５  ケーブル絶縁体除去刃                      １５ａ  刃基部
１５ａ１  先端端面      １５ｂ  切除刃本体      １５ｂ１  第３の切除刃
１５ｂ１１  刃線一端    １５ｂ１２  刃線他端    １５ｂ２  第４の切除刃
１５ｂ２１  刃線一端    １５ｂ２２  刃線他端    １６  第２のガイド円柱
１６ａ  基端部１４ａ    １６ｂ  先端部        １６ｃ  段部
１７  窓
ｗ１  刃線１２ｂ１と軸心ｏとの間の離間間隔
ｗ２  刃線１３ｂ１と軸心ｏとの間の離間間隔
ｗ３  刃線１３ａ１と刃線１２ａ１との間の離間間隔
ｗ４  外部導体Ｃのケーブル軸方向における露出長さ
ｗ５  段部１４ｃと刃線１３ａ１との間の離間間隔
ｗ６  内部導体Ｂのケーブル軸方向における露出長さ
ｗ７  段部１６ｃと第３、第４の除去刃１５ｂ、１５ｃの刃線との間の離間距離
Ａ    同軸ケーブル      Ａａ  コネクタ連結端      Ｂ  中心導体            
Ｂａ  コネクタ連結端    Ｃ  外部導体              Ｃａ  コネクタ連結端
Ｄ  ケーブル絶縁体      Ｄａ  コネクタ連結端      Ｅ  外被
Ｅａ  コネクタ連結端    ｏ  軸心                  α  隙間
【図１】
0005823309.tif 000002
【図２】
0005823309.tif 000003
【図３】
0005823309.tif 000004
【図４】
0005823309.tif 000005
【図５】
0005823309.tif 000006
【図６】
0005823309.tif 000007
【図７】
0005823309.tif 000008